(57)【要約】【課題】作業者の顔面を覆うフェースガードの着脱が容易なヘルメットを実現する。【解決手段】帽体１の前頭部内面にフェースガード２を挿入することができる隙間Ｘを保持した状態でフェースガード支持板３を固定する。フェースガード支持板３に上下方向に平行する複数のガイド孔４、４を穿設し、フェースガード２の上部に、後方に向けて先端に頭部5aを備えフェースガード支持板３のガイド孔４を貫通する突起５を配置する。ガイド孔４から突出する突起５の頭部5aに係止板６を装着する。係止板６には、突起５の頭部が貫通する大径部7aと突起５の軸部5aのみが通過する細幅部7bを連続させた形状とした係合孔７が穿設され、係合孔の大径部7aに突起５の頭部5aを貫通させ、係止板６を横方向に移動させることによって細幅部7bを突起５の頭部5aに係合させる。【選択図】  図１
2010138506.tif 000002
【特許請求の範囲】
【請求項１】
帽体の前頭部内面にフェースガードを挿入することができる隙間を保持した状態でフェースガード支持板を固定し、該フェースガード支持板に上下方向に平行する複数のガイド孔を穿設するとともに、フェースガード支持板と帽体内面との間に配置するフェースガードの上部に、後方に向けて先端に頭部を備え前記フェースガード支持板のガイド孔を貫通する突起を横一列に配置し、フェースガード支持板の内面に突出する複数の突起にそれぞれ係合する複数の係合孔を穿設した係止板をフェースガード内面に配置し、該係止板に穿設した係合孔は、頭部が貫通する大径部と突起の軸部のみが通過する細幅部を連続させた形状とし、係合孔の大径部に突起の頭部を貫通させ係止板を横方向に移動させることによって係合孔の細幅部を突起の頭部に係合させ、フェースガードをフェースガード支持板に係止させることを特徴とするヘルメットにおけるフェースガード取り付け構造。
【請求項２】
フェースガードに形成する突起は、大径の頭部と横幅が頭部と同一であって厚みのみが薄い扁平断面の軸部とで形成されたものであることを特徴とする請求項１記載のヘルメットにおけるフェースガード取り付け構造。
【発明の詳細な説明】
【技術分野】
【０００１】
この発明は、主として作業用ヘルメットにおいて、作業者の顔面を覆うフェースガードの取り付け構造に関する発明である。
【背景技術】
【０００２】
作業用のヘルメットでは、作業の種類や作業環境などの条件によって、例えば  透明版やネットといったフェースガードをヘルメットの前頭部に装着し、作業者の顔面を覆って安全を図ることが行われている。
特許文献１には、帽体の内部に配置した支持板に対して顔面保護板を昇降自在とし、下降位置において顔面保護板の角度を変更可能とした発明が開示されている。特許文献２には、帽体の内面もしくはハンモックを取り付けるためのブラケットの外側に縦リブからなる案内溝を設け、案内溝に沿って案内コロを備えた防護面を昇降させる発明が開示されている。特許文献３には、支持プレートに支持されるフロントシールド板と、支持プレート及びフロントシールド板と連携するサイドシールド板を設ける発明が開示されている。
【特許文献１】特開２００３―４９３１６号公報
【特許文献２】特開２００６―５２４９７号公報
【特許文献３】特開２００３―２５３５１９号公報
【発明の開示】
【発明が解決しようとする課題】
【０００３】
従来、帽体の内部に支持板を配置し、支持板に対して昇降自在にフェースガード(シールド板や顔面保護板)を設ける思想、昇降構造として上下方向の案内溝やガイド孔を設ける思想が知られている。しかしながら、従来のフェースガード付のヘルメットでは、フェースガードを取り外す場合に、帽体内の狭い場所でガイド孔との係止部材を取り外すなどの細かな作業を行わなければならず、必ずしも簡単に着脱することができるものではなかった。
上記、従来技術の欠点に鑑み、本発明はフェースガード付のヘルメットにおいて、フェースガードの着脱を容易に行うことができるヘルメットを提供することを目的とするものである。
【課題を解決するための手段】
【０００４】
上記目的を達成するため、請求項１記載の本発明に係るヘルメットにおけるフェースガード取り付け構造は、フェースガード２を支持するためのフェースガード支持板３を使用する。すなわち、帽体１の前頭部内面にフェースガード２を挿入することができる隙間Ｘを保持した状態でフェースガード支持板３を帽体１に固定する。
【０００５】
フェースガード支持板３には、上下方向に平行する複数のガイド孔４、４を穿設する。一方、フェースガード支持板３と帽体１内面との間に配置するフェースガード２の上部には、後方に向けて先端に頭部5aを備え前記フェースガード支持板３のガイド孔４を貫通する突起５を横一列に配置し、フェースガード支持板３の内面において、フェースガード内面に突出する複数の突起５、５にそれぞれ係合する複数の係合孔７、７を穿設した係止板６を配置する。
係止板６に穿設した係合孔７は、頭部5aが貫通する大径部7aと突起５の軸部5bのみが通過する細幅部7bを連続させた形状とし、係合孔７の大径部7aに突起５の頭部5aを貫通させ係止板６を横方向に移動させることによって係合孔７の細幅部7bを突起５の頭部5aに係合させ、フェースガード２をフェースガード支持板３に係止させるものである。
【０００６】
フェースガード２に形成する突起５は、例えば大径の円形断面の頭部と小径の円形断面の軸部とすることもできるが、より好ましい形状として例えば円形の頭部5aと、横幅が頭部5aと同一であって厚みのみが薄い扁平断面の軸部5bとすることができる。
【発明の効果】
【０００７】
請求項１記載の本発明によれば、帽体１前頭部のフェースガード支持板３と帽体１内面の間にフェースガード２を差し込み、フェースガードに形成されている突起５をフェースガード支持板３のガイド孔４から後方(帽体内方)に突出させ、突出している突起５に係止板６の係合孔７の大径部7aを挿入し、係止板６を横方向に移動させ、突起５の軸部5bを係合孔７の細幅部7bに係合させることによって、フェースガード２を帽体１に簡単かつ確実に取り付けることができる。フェースガード２を取り外す場合は、前記場合とは逆に係止板６を横方向に移動させることによって係止板６が外れ、フェースガード２を帽体１から簡単に取り外すことができる効果がある。
【０００８】
特に本発明では、複数のガイド孔４、４に対して複数の突起５を係合させ、これらを一つの係止板６で係止させるため、フェースガード２を安定良く装着し、かつ複数の突起の係脱を同時に行うことができる。
【０００９】
請求項２記載の発明によれば、頭部の横幅と軸部の横幅が同一であるため、フェースガード支持板３のガイド溝４を通過させた突起５の軸部5bの、ガイド溝４内におけるガタツキを少なくしフェースガード２を安定良く装着することができる。また、係止板６の係合孔７の細幅部7bに対して扁平な軸部5bが嵌まり込むため、係止板６自体が安定良く装着される実益がある。
【発明を実施するための最良の形態】
【００１０】
以下、本発明に係るヘルメットにおけるフェースガード取り付け構造の好ましい実施形態を添付の図面に基づいて説明する。
図１は本発明を実施するヘルメットの縦断面図、図２はフェースガードを取り外した状態のヘルメット全体の底面図、図３はフェースガード取り付け構造の展開図である。
【００１１】
本発明に係るヘルメットは、図１に示すように帽体１の内部にフェースガード取り付け構造を備え、必要に応じてフェースガード２を着脱することができるものである。
本発明に係るフェースガード取り付け構造は、フェースガード２と、フェースガード支持板３と、係止板６で構成する。
【００１２】
フェースガード支持板３は、図１、図２から理解されるように帽体１の前頭部内面にフェースガード２を挿入することができる隙間Ｘを保持した状態で帽体１に固定する。フェースガード支持板３は、図３に示すように帽体１の前頭部に位置する中間部分を、高さＨとして比較的広い平面である正面部3aを形成し、その両側方に比較的細幅の側面部3b、3bを形成し、側面部3b、3bを帽体１の側面部分に固定することによって、正面部3aを帽体１前頭部内面との間にフェースガード２を挿入することができる隙間Ｘを保持させている。
【００１３】
図２に示す実施形態では、側面部3bの先端部分をピン９によって帽体１の後頭部側面に固定するとともに、側面部3bの基端部、すなわち正面部3aとの境界付近をカシメピン10によって帽体１の側頭部前方に固定している。フェースガード３の側面部3b先端部分を固定するピン９は、ヘルメット内部に装着するハンモック11の取り付けピンを兼用させるとともに、カシメピン10の直前部分にハンモックを係止するためのピン12をフェースガード支持板３に固定している。
【００１４】
フェースガード支持板３の正面部3aには、上下方向に平行する三つのガイド孔４、４を穿設し、このガイド孔４、４に沿ってフェースガード２が上下方向に摺動するようにしている。フェースガード支持板３と帽体１内面との間に配置するフェースガード２の上部には、図４に示すように後方に向けて三つの突起５、５を配置している。この突起５、５は横一列に配置するものであって前記フェースガード支持板３のガイド溝４、４の間隔と一致させてある。また、個々の突起５は先端に頭部5aを備え、頭部5aよりも扁平な軸部5bによってフェースガード２と連続している。突起５は大径の頭部と小径の軸部とで構成されるものであってもよいが、図示実施形態では軸部を扁平なものとしている。具体的には、頭部5aをガイド孔４を通過する大きさの略円形とし、軸部5bは横幅が頭部5aと同じであって、上下の厚みを横幅よりも薄い扁平形状としている。
【００１５】
上記、フェースガード２を帽体１とフェースガード支持板３の間に挿入すると、フェースガード２の突起５がガイド孔４を貫通し帽体内に突出する。この内方に突出した突起５の頭部5aに係止板６を嵌めることによってフェースガード２がフェースガード支持板３に保持される。フェースガード２を係止させる係止板６は、図５に示すように横長の板状とし、突起５やガイド孔４と同じ間隔で三つの係合孔７、７を穿設している。係合孔７は、図５に示すように突起５の頭部5aが通過する大径部7aと、突起５の軸部5bのみが通過する細幅部7bを連続的に形成した略鍵穴状としている。係合孔７と７の間には、例えば縦方向に突条を配列する滑り止め13を形成している。
【００１６】
係止板６を上記形状とすることによって、図６に実線で示すガイド孔４から突出している突起５に、図７(a)に示すように、係止板６に穿設した係合孔７の大径部7aを挿入し、滑り止め13を利用して手指で係止板６を図６の矢印方向 (図面上左方向)に移動させることができる。係止板６が二点鎖線で示す左方位置に移動し、突起５の軸部5bが係合孔７の細幅部7bに係合されると、図７(b)に示すように突起５の頭部5aが細幅部に係合し、図３に示すようにフェースガード２がフェースガード支持板３に支持された状態が実現する。
【００１７】
上記、フェースガード２がフェースガード支持板３に支持された状態では、フェースガード２が上下方向に摺動可能である。すなわち、顔面前方を保護するフェースガード２の帽体１からの突出寸法を必要に応じて変更させて作業を行うことができる。
フェースガード２を取り外す場合は、上記場合とは逆に係止板７を図６の二点鎖線の位置から実線の位置に移動させることによって取り外し、フェースガードを下方から取り外す。  
【００１８】
フェースガード２は、湾曲する帽体１の前頭部内面に沿って配置されるものであり、湾曲形状に形成される。このフェースガード２に形成する複数の突起５は、曲面の曲率中心方向に向けて形成するのではなく三つの突起を平行に形成している。さらに、湾曲形状に形成する係止板６に穿設する係合孔７は、突起５の相貫形状として穿設する。この形状とすることによって、係止板６を帽体の前後方向に移動させることによって、係止板６の係合孔７に対して突起５の係脱を円滑に行うことができる。換言すれば、フェースガード２の着脱をより円滑に行うことができる。
【００１９】
帽体１の内部には、通常ハンモック11が設けられる。このハンモックの取り付け手段として、図示実施形態のヘルメットではフェースガード支持板３の側面部を帽体１の後頭部側面に固定するピン９と、前頭部側面においてフェースガード支持板３に固定したピン12にハンモック11の下端を支持させている。図１に示す実施形態では、ピン12によって防護シート８の下端を支持し、フェースガード支持構造の内面を防護シート８で覆うように構成している。
【００２０】
防護シート８を設けることによって、図１及び図３に二点鎖線で示すように帽体の内部に突出する突起５の頭部5aや係止板７を覆い、これらのフェースガード取り付け構造が、例えばハンモックに触れるのを防止し、係止板６が誤って脱落するといった不具合を防止することができる。
防護シート８には、下端の両側を固定することによって中間部分が上方に立ち上がった姿勢を維持できる程度の厚みと腰を備えた柔軟な、合成樹脂性のシート材を利用することができる。
【図面の簡単な説明】
【００２１】
【図１】図１は、本発明を実施するヘルメットの縦断面図、
【図２】図２は、フェースガードを取り外した状態のヘルメット全体の底面図、
【図３】図３は、フェースガード取り付け構造の展開図、
【図４】図４は、フェースガードの上部のみの湾曲の内面図、
【図５】図５は、係止板の湾曲の内面図、
【図６】図６は、フェースガード支持板にフェースガードを装着する状態を示す、湾曲の内面図、
【図７】図７は、図６のVII−VII線拡大断面図、
【図８】図８は、図６のVIII−VIII線断面図である。
【符号の説明】
【００２２】
１…帽体、  ２…フェースガード、  ３…フェースガード支持板、  3a…正面部、  3b…側面部、  ４…ガイド孔、  ５…突起、  5a…頭部、  5b…軸部、  ６…係止板、  ７…係合孔、  7a…大径部、  7b…細幅部、  ８…防護シート、  ９…ピン、  10…カシメピン、  11…ハンモック、  12…ピン、  13…滑り止め。
【図１】
2010138506.tif 000003
【図２】
2010138506.tif 000004
【図３】
2010138506.tif 000005
【図４】
2010138506.tif 000006
【図５】
2010138506.tif 000007
【図６】
2010138506.tif 000008
【図７】
2010138506.tif 000009
【図８】
2010138506.tif 000010